(57)【特許請求の範囲】
【請求項１】
一端側に吸込嵌合筒が形成され、他端側に吸込嵌合孔が形成された吸込管と、この吸込管に並べて一体的に配置され一端側に前記吸込嵌合筒の中心とそれぞれの中心が三角形の頂点となるように二つの排気嵌合筒を形成するとともに、他端側を前記吸込嵌合孔の中心とそれぞれの中心が三角形の頂点をなすように設けた二つの排気嵌合孔とし、かつ、中間部分を１本の管とした排気管とから構成し、前記一端側の吸込嵌合筒と排気嵌合筒とを相手側の吸込嵌合孔と排気嵌合孔とに嵌合して接続可能とし、前記他端側の吸込嵌合孔と排気嵌合孔とを相手側の吸込嵌合筒と排気嵌合筒とに嵌合して接続可能としたことを特徴とする接続管。
【請求項２】
請求項１の発明において、排気管を、吸込管に沿って配置される給電線を覆うカバーとして機能させることを特徴とする接続管。
【請求項３】
請求項１または請求項２の発明において、排気管の一端側部および他端側部をそれぞれ第一の固定具と第二の固定具によって吸込管に固定したことを特徴とする接続管。
【請求項４】
請求項３の発明において、第二の固定具に、前記第一の固定具側に前記排気管の他端側を連通させるとともに第一の固定具と反対側に二つの排気嵌合孔を形成したことを特徴とする接続管。
【請求項５】
請求項１ないし請求項４の発明において、排気管を吸込管の外周面よりも外側に突出させて偏平形状としたことを特徴とする接続管。
【請求項６】
請求項１ないし請求項５の発明において、一端側の吸込嵌合筒の先端を両排気嵌合筒の前端よりも突出させたことを特徴とする接続管。
【請求項７】
掃除機本体の吸込口と排出口とに、塵埃を吸込む吸込開口と排気風を吹出す吹出口を備えた吸込口体を請求項１ないし請求項６の接続管を介して接続したことを特徴とする循環式電気掃除機。
【発明の詳細な説明】
【０００１】
【発明の属する技術分野】
この発明は、吸込口体の吸込開口から吸込気流とともに吸引した塵埃を集塵装置によって除去した後、前記吸込口体に還流させて吸込開口近傍に吹出させて掃除をする循環式電気掃除機に用いる接続管およびこの接続管を用いた循環式電気掃除機に関する。
【０００２】
【従来の技術】
従来から、床ブラシなどの吸込口体の被掃除面と対向して形成されている吸込開口から吸込気流とともに吸引した塵埃を集塵装置によって除去した後、排気風を前記吸込口体に還流させて吸込開口近傍に設けた吹出口から吹出させて掃除をする循環式電気掃除機は知られている。
【０００３】
そして、この種の循環式電気掃除機（以下循環式掃除機という）は、一般の掃除機と同様に掃除機本体に把手を有する吸込ホースを接続し、この吸込ホースに接続管である延長管を接続し、さらにこの延長管に吸込口体を接続して、前記把手を握持して前記延長管を介して吸込口体を前後方向に移動させて掃除をするように構成されている。
【０００４】
そして、前記吸込ホースおよび延長管には、それぞれ吸込口体の吸込開口から吸引した吸込気流を集塵室に連通する掃除機本体の吸込口に連通させる流入路と、電動送風機から排気された排気風を排気する排気口と吸込口体とを連通させる排気路との二つの流路を形成する必要がある。
このため従来は、例えば実開昭５０−９７２６９号公報に記載されているように、内管と外管とによって二重管構造として二つの流路を形成し、これら二つの流路を流入路および排気路とする方法、または、２本の管をその周面同志を当接させて重ねて一体的に結合し、これら２本の管によって二つの流路を形成しこれら二つの流路を流入路および排気路とする方法が採られている。
【０００５】
しかし、二重管構造とした場合は内管と外管との間に形成される流路は、内管の外周壁面と外管の内周壁面とが空気の流れに対して大きな抵抗となるため、必要な流量を流すための風路断面積を確保するためには外管の直径を大きくしなければならず、その結果延長管の太さが大きくなり、掃除中あるいは収納時などの取り扱いがし難くなるという問題があり、また、２本の管を重ね合せた場合は、二重管の場合のように流路抵抗が大きくなることはないものの、２本の管を重ね合せるものであることから重ね方向の高さ寸法つまり最大外郭の寸法が大きくなり、同様に掃除中あるいは収納時などの取り扱いがし難くなるという問題がある。
【０００６】
【発明が解決しようとする課題】
上記のように従来の循環式掃除機における延長管つまり接続管は、二重管構造とした場合は内管と外管との間に形成される流路は、内管の外周壁面と外管の内周壁面とが空気の流れに対して大きな抵抗となるため、必要な流量を流すための風路断面積を確保するためには外管の直径を大きくしなければならず、その結果延長管の太さが大きくなり、掃除中あるいは収納時などの取り扱いがし難くなるという問題があり、また、２本の管を重ね合せた場合は、二重管の場合のように流路抵抗に係る前記問題はなくすことができるものの、２本の管を重ね合せるものであることから重ね方向の高さ寸法つまり最大外郭の寸法が大きくなり、同様に、収納時などの取り扱いがし難くなるという問題がある。また、二重管の場合は最大外郭の寸法が大きくなるため、掃除中に接続管を直接把持して掃除することが生じたときなど持ち難く操作し難いという問題がある。
【０００７】
【課題を解決するための手段】
この発明は上記問題を解決するようにしたものであり、請求項１の発明は、一端側に吸込嵌合筒が形成され、他端側に吸込嵌合孔が形成された吸込管と、この吸込管に並べて一体的に配置され一端側に前記吸込嵌合筒の中心とそれぞれの中心が三角形の頂点となるように二つの排気嵌合筒を形成するとともに、他端側を前記吸込嵌合孔の中心とそれぞれの中心が三角形の頂点をなすように設けた二つの排気嵌合孔とし、かつ、中間部分を１本の管とした排気管とから構成し、前記一端側の吸込嵌合筒と排気嵌合筒とを相手側の吸込嵌合孔と排気嵌合孔とに嵌合して接続可能とし、前記他端側の吸込嵌合孔と排気嵌合孔とを相手側の吸込嵌合筒と排気嵌合筒とに嵌合して接続可能とした接続管としたものである。
このように請求項１の発明は、接続管を、一端側に吸込嵌合筒が形成され、他端側に吸込嵌合孔が形成された吸込管と、この吸込管に並べて一体的に配置され一端側に前記吸込嵌合筒の中心とそれぞれの中心が三角形の頂点となるように二つの排気嵌合筒を形成するとともに、他端側を前記吸込嵌合孔の中心とそれぞれの中心が三角形の頂点をなすように設けた二つの排気嵌合孔とした排気管とから構成したことから、排気管は吸込管に並べて配置されるため、上下方向の高さを低くでき最大外郭寸法を小さくできる。また、二重管のように内管と外管との間に流路を形成するものではないことから、流路抵抗を小さくできるため、流路断面積を小さくでき外形を小さくできるという作用を有する。また、一端側の吸込嵌合筒と排気管の二つの排気嵌合筒との中心を各中心が三角形の頂点となる関係とし、また、他端側の吸込嵌合孔と二つの排気嵌合孔との各中心も同様に三角形の頂点となる関係としたことから、それぞれ相手側の吸込嵌合孔と排気嵌合孔および吸込嵌合筒と排気嵌合筒とに接続した状態では、掃除中などにこの接続部分に折り曲げるような力が加わったとしても、その力は分散されることから、折れ曲がることが防止され接続部分が損傷などすることを防止できるという作用を有するものである。
更に、排気管の中間部分を１本の管としたことから、排気管の両端と同じ流路断面としたときは外形を小さくでき、また、中間部を一体としていることから組み立て時などにおける取り扱いが容易となり、作業性を向上させることができるという作用を有する。
また、請求項２の発明は、請求項１の発明において、排気管を、吸込管に沿って配置される給電線を覆うカバーとして機能させたものである。
この請求項２の発明は、吸込管に沿って給電線を配線するときにおいても特別のカバーを要しないことから、部品点数を減らすとともに、組立時など作業性を向上させることができ、また、安価とすることができるという作用を有する。
また、請求項３の発明は、請求項１または請求項２の発明において、排気管の一端側部および他端側部をそれぞれ第一の固定具と第二の固定具によって吸込管に固定したものである。
この請求項３の発明は、両端部を確実に位置決めして固定できるため、相手側との接続関係を確実に維持できるという作用を有するものである。
また、請求項４の発明は、請求項３の発明において、第二の固定具に前記第一の固定具側に前記排気管の他端側を連通させるとともに第一の固定具と反対側に二つの排気嵌合孔を形成したものである。
この請求項４の発明は、二つの排気嵌合孔の吸込管への形成が吸込管自体に形成する場合に比べて容易にできるという作用を有するものである。
また、請求項５の発明は、請求項１ないし請求項４の発明において、排気管を吸込管の外周面よりも外側に突出させて偏平形状としたものである。
この請求項５の発明は、接続などをする場合に、接続管を床などに吸込管を上にして置いた時、転がることなく安定した状態となることから、その取り扱いが容易となるという作用を有するものである。
また、請求項６の発明は、請求項１ないし請求項５の発明において、一端側の吸込嵌合筒の先端を両排気嵌合筒の前端よりも突出させたものである。
この請求項６の発明は、吸込嵌合筒が相手側の吸込嵌合孔に嵌合した後に両排気嵌合筒が相手側の排気嵌合孔に嵌合することから、相手側との接続が容易にできるという作用を有するものである。
また、請求項７の発明は、掃除機本体の吸込口と排出口とに、塵埃を吸込む吸込開口と排気風を吹出す吹出口を備えた吸込口体を請求項１ないし請求項６の接続管を介して接続した循環式電気掃除機としたものである。
この請求項７の発明は、流路の排気抵抗を小さくできるため吸塵性能が向上するとともに、掃除時の操作性を向上させることができるという作用を有するものである。
【０００８】
【発明の実施の形態】
つぎに、この発明の実施の形態を図１ないし図１５に基いて説明する。
【０００９】
図１は循環式掃除機の全体を示す斜視図であり、図１において符号１は掃除機本体であり、この掃除機本体１には前部に接続口体２が設けられており、また掃除機本体１の内部には集塵室（不図示）および送風機室（不図示）が設けられている。そして、前記集塵室には集塵装置としての集塵袋３が配置されており、また、前記送風機室には電動送風機４が設けられている。
【００１０】
また、前記接続口体２は図示しないが吸込口と排出口がそれぞれ形成されており、前記吸込口は前記集塵室に連通しており、また、前記排出口と前記送風機室とは掃除機本体１に形成した図示しない還流路によって連通している。
また、前記接続口体２には吸込ホース１０が接続されており、この吸込ホース１０は、軸方向に沿って内部に吸込路と排気路が形成されたホース部１１、このホース部１１の一端側に接続された接続筒１２、および他端側に接続された接続管体１３とから構成されている。そして、前記接続筒１２の内部には図示しないが前記ホース部１１の吸込路および排気路と連通する二つの吸込通路および排気通路が形成されており、接続筒１２を接続口体２に接続したときは、前記吸込通路および排気通路は前記掃除機本体１に設けた吸込口および排出口に連通するようになっているものである。
【００１１】
なお、前記ホース部１１の吸込通路および排気通路は、それぞれ吸込風路および排気風路を構成するものである。
【００１２】
また、前記接続管体１３（接続管を接続する相手側）は、図１に示すように上部に把手１４が形成されており、この把手１４を把持して後述する吸込口体である床ブラシ８０を走行操作させて掃除をするものである。
【００１３】
また、接続管体１３の先端部には、後述する接続管Ａの一端側の吸込嵌合筒２３および排気管５０（図２、図３など参照）の端部に形成した２本の排気嵌合筒５４ａを嵌合させる吸込嵌合孔（不図示）および排気嵌合孔（不図示）が形成されており、これら吸込嵌合孔および排気嵌合孔は前記ホース部１１の吸込通路および排気通路と連通するように構成されているものである。
【００１４】
また、前記把手１４の前部には、電動送風機４を制御する複数の制御スイッチ１４ａが設けられており、これら制御スイッチ１４ａからの制御信号は、吸込ホース１０の内部に配線された信号線（不図示）を介して掃除機本体１内部に設けられた図示しない制御手段に送られるようになっている。また、吸込ホース１０の内部には、前記床ブラシ８０内に設けた電動機８３に電力を供給する図示しない給電線が配線されており、この給電線の一端部は前記接続筒１２に設けたプラグピン（不図示）に接続されて、このプラグピンは接続口体２に設けられた接点板（不図示）に圧接して電気的に接続されるようになっている。また、前記給電線の他端は前記接続管体１３の先端部の開口した差込穴（不図示）内に設けられた接点板に接続されている。
【００１５】
なお、接続管体１３に形成されている前記吸込嵌合孔、排気嵌合孔、差込穴の構成は、後に詳述する接続管Ａの他端側に形成された吸込嵌合孔２５、排気嵌合孔７１ａ、差込穴９１（図８、図１５参照）と同じように構成されているものである。また、接続管体１３に設けられている結合クランプも同様に接続管Ａの他端側に設けられる結合クランプ４０（図２参照）と同じ構成となっており、図１には操作ボタン１５のみを示してある。
【００１６】
つぎに、前記接続管１０に接続される接続管Ａおよび接続管Ｂについて説明する。
なお、接続管Ａおよび接続管Ｂは同一構造であることから、一方の接続管Ａについて説明し、接続管Ｂについてはその説明は省略する。
【００１７】
接続管Ａは、吸込管２０と排気管５０とから構成されている。なお、接続管Ａを構成する吸込管２０の内部および排気管５０の内部は、それぞれ吸込風路および排気風路を構成するものである。
そして、前記吸込管２０は、図３に示すように径大の管２１から構成されており、一端側端部の上部には当接面２２ａが形成された鍔部２２が形成されており、この鍔部２２よりも先端側に、先端に向かうにつれて小径としたテーパー状に形成された吸込嵌合筒２３となっており、この吸込嵌合筒２３の上面には、前記吸込ホース１０の接続管体１３に設けた図示しない結合クランプのクランプ片の係合爪が係脱する係合凹部２３ａが形成されている。また、下面にはネジ穴２４ａが形成された２個のボス２４（図３、図４参照、なお（図３では１個のみ図示））が形成されている。
【００１８】
また、吸込管２０の他端側の開口部は、内部に向かうにつれて次第に径小となるテーパー状に形成されており、このテーパー状に形成された部分は吸込嵌合孔２５となっている。また、この他端側上面には、結合クランプ４０を配設する収納部２６が形成されており、この収納部２６には端部側に突起２６ａが形成され、また、この突起２６ａよりも前記一端側に位置した部位には管壁を貫通した貫通孔２６ｃが形成されている。また、この貫通孔２６ｃよりも一端側に位置した部位にはネジ穴２６ｅが規制されたボス２６ｄが形成されている。
【００１９】
そして、前記結合クランプ４０は、先端部に係合爪４１ａが、また、基端側に操作つまみ４１ｂが形成されたクランプ片４１と、このクランプ片４１を支点４１ｄを回動支点として常時前記係合爪４１ａが前記貫通孔２６ｃから管内に突出させように付勢するコイルバネ４２とから構成されている。前記コイルバネ４２は、前記突起２６ａに一端側を嵌合し他端側は前記操作つまみ４１ｂの内側に設けられた突起４１ｃに嵌合して両端を固定して配置されている。
【００２０】
なお、収納部２６の上部は、結合クランプ４０を配置した状態でネジ４４ａによって取り付けられたカバー４４によって覆われている。
【００２１】
また、他端側の下側面にはネジ穴２７ａが形成された２個のボス２７（図３、図４参照（なお、図３では１個のみ図示））が形成されている。
【００２２】
また、吸込管２０の前記一端側の下面には、図４に示すように前記ボス２４の両側に軸方向に沿う側壁３０、この両側壁３０の一端側（図４において右側）の部位には両側壁３０の端部に連続して形成された前壁３１、および他端側（図４において左側）の端部に連続して形成された後壁３２が形成されている。また、前記両側壁３０の下端縁には後述する第一の固定具６０の上端縁６６(図１１参照)と係合する印籠部３０ａが形成されている。
【００２３】
また、前記前壁３１および後壁３２の前記吸込管２０の軸心を中心として左右対称位置には、前記排気管５０の第一の分岐管５４および排気管５０自身を挟持する一対の円弧状の挟持縁３１ａおよび挟持縁３２ａが形成されている。また、後壁３２には給電線としてのリード線Ｒを通す溝３２ｂが形成されている。
【００２４】
また、前記前壁３１の挟持縁３１ａの両側には、図４に示すように一対の接続ピン９０の上側半分を収納して挟持する一対の半円形状の凹部３１ｂが形成されている。なお、前記接続ピン９０は先端部を球面状とした断面円形状の棒状体からなり、後端側（図４において左側）に鍔部９０ａが形成されている。
【００２５】
また、前記前壁３１の近傍位置には、図４に前記一対の接続ピン９０の鍔部９０ａの上側半分を収納して挟持する挟持凹部３３が形成されている。そして、接続ピン９０は、その鍔部９０ａを前記挟持凹部３３に収納されるとともに、前側を前記凹部３１ｂに収納されることによって軸方向への移動を規制されるものである。
【００２６】
また、吸込管２０の他端側（図４において左側）には、図４に示すように前記ボス２７の両側に軸方向に沿う側壁３４、この両側壁３４の他端側（図４において左側）の部位には両側壁３４の端部に連続して形成された前壁３５、および一端側（図４において右側）の端部に連続して形成された後壁３６が形成されている。また、前記両側壁３４の下端縁には後述する第二の固定具７０の上端縁部に設けた溝７８（図１３参照）と係合する印籠部３４ａが形成されている。
【００２７】
また、前記前壁３５には、接続される相手側（接続管Ｂ）に設けられた接続ピン９０を挿入させるための一対の挿入穴９１（図８、図１５参照）の上側半分を形成する半円形状の凹部３５ａが形成されており、また、前記後壁３６の前記吸込管２０の軸心を中心として左右対称位置には、前記排気管５０を挟持する一対の円弧状の挟持縁３６ａが形成されている。また、前記前壁３５と後壁３６との略中間部には、中間壁３７が形成されており、この中間壁３７には前記吸込管２０の他端側を分岐した二本の第二の分岐管５５の先端部を後述する第二の固定具７０とによって挟持する円弧状の挟持縁３７ａが形成されている。また、中間壁３７の両挟持縁３７ａの外側には、給電線であるリード線Ｒを収納して挟持する一対の凹溝３７ｂが形成されている。
【００２８】
また、前記前壁３５側と側壁３４とで形成される角部には、吸込管２０の軸方向に沿う縦リブ３８ａと縦リブ３８ａの後端側に軸方向と直交する方向に向けた２本の横リブ３８ｂとからなるリブ３８が形成されており、また、この縦リブ３８ａと平行にして前記横リブ３８ｂの先端との間に小間隙を形成するようにしてリブ３９が形成されている。
【００２９】
そして、リブ３８とリブ３９との間には、図４に示すように導電性を有する弾性板を折り曲げて形成した接点板９２を、その頂角部を前記凹部３５ａ側とし、頂角部と反対側を前記リブ３９と前記横リブ３８ｂの先端との間に形成された小間隙に挿入して固定状態として配設されている。
【００３０】
また、吸込管２０の中間部すなわち前記一端側の後壁３２と他端側の後壁３６との間に亘る下面側に両側には、図４、図１０に示すように軸方向に沿うとともに下方に突出した嵌合突出リブ２９が形成されている。
【００３１】
また、吸込管２０の下面には、軸方向に沿って所定間隔ごとにリード線保持部２８が形成されており、このリード線保持部２８は図５に示すように突起２８ａとこの突起２８ａの両側に収納溝２８ｂを形成するように形成された突起２８ｃによって形成されている。
【００３２】
そして、リード線Ｒは前記収納溝２８ｂに収納するとともに、その一端側を前記接続ピン９０に接続し、他端側を前記接点板９２の端部に接続して吸込管２０の下面側に配設されるものである。
【００３３】
つぎに、接続管Ａを構成する排気管５０について説明する。
この排気管５０は、中間部は図１０に示すように前記吸込管２０の軸心を通る延直線を中心として、その中心を左右対称とした一対の円筒形の管部５１とするとともに互いに対向する面側を連通させ略メガネ形状に形成されており、また、排気管５０の両側つまり両管部５１の上部両側には、図６（Ａ）に示すように軸方向に沿って形成された２条のリブ５２ａ、５２ｂが形成され、これら２条のリブ５２ａ、５２ｂの間には前記吸込管２０に形成した嵌合突出リブ２９と嵌合する嵌合溝５２ｃが形成されている。そして、この両嵌合溝５２ｃと前記嵌合突出リブ２９とは前記図１０に示す状態で嵌合するようになっている。
【００３４】
また、前記両管部５１の中間部は軸方向に沿う溝５３が形成されており、この溝５３には前記リード線保持部２８の突起２８ａの先端部が嵌合するようになっている（図１０参照）。
【００３５】
また、前記排気管５０の一端側は、分岐した一対の第一の分岐管５４が形成されており、これら両分岐管５４の先端側は先端に向かうにつれて先細となるテーパー状に形成され、前記相手側である前記吸込ホース１０の吸込管体１３の吸込嵌合孔（不図示）に嵌合する排気嵌合筒５４ａとなっている。また、排気管５０の他端側は分岐した一対の第二の分岐管５５となっている。また、前記第一の分岐管５４および第二の分岐管５５のそれぞれの分岐部は図７（Ｂ）に示すように前記管部５１と連通しているものである。
【００３６】
また、前記排気管５０の一端部側の第一の分岐管５４の長手方向中間部の外側寄りには、それぞれリブ５６が形成されており、このリブ５６の上縁には前記吸込管２０の前壁３１に形成した半円形の凹部３１ｂと対向する半円形状の凹部５６ａが形成されており、この凹部５６ａは前記凹部３１ｂに嵌合した接続ピン９０の下側半分と嵌合するようになっている。
【００３７】
つまり、接続ピン９０は、その鍔部９０ａを前記挟持凹部３３に収納されるとともに、前側を前記凹部３１ｂと凹部５６ａによって外周を挟持されて軸方向への移動を規制されて取り付けられるようになっている。
【００３８】
つぎに、前記第一の固定具６０について説明する。
この第一の固定具６０は、図１１に示すように底壁６１とこの底壁６１の両側に形成された側壁６２とからなる略樋状に形成されており、一方側に形成された壁６３には、前記排気管５０の両第一の分岐管５４の外周面と嵌合する一対の円弧状の切欠６４が形成され、また、底壁６１および両側壁６２とは排気管５０の中間部の略下側半分の外周面に沿う曲面形状に形成され排気管５０の中間部つまり両管部５１の外周面と嵌合する嵌合部６１ａとなっている。なお、前記他端側の両側壁６２は、排気管５０の側面を確実に固定させるために、図１１に示すように底壁６１よりも突出させてある。また、前記底壁６１には吸込管２０に形成したボス２４のネジ穴２４ａと対向するネジ孔６５ａが形成されたボス６５が形成されている。
【００３９】
そして、この第一の固定具６０の嵌合部６１ａおよび切欠６４のそれぞれ排気管５０の両管部５１および第一の分岐管５４を嵌合させ、第一の固定具６０のボス６５のネジ孔６５ａと前記ボス２４のネジ穴２４ａとを対向させて、ネジ孔６５ａにネジ１００（図３参照）を挿通してネジ穴２４ａに締結することによって、排気管５０の一端側と吸込管２０とは一体的に固定されて結合されるものである。
【００４０】
そして、この結合状態では図９に示すように吸込管２０の中心Ｐ、一対の第一の分岐管５４の中心Ｐ１、Ｐ１はそれぞれ二点鎖線で示すように二等辺三角形の三つの頂点となるようになっており、このことによって、吸込管２０および一対の第一の分岐管５４にいずれの方向から外力が加わっても、この外力は各頂点方向に分散されることから、例えば掃除中の接続部に折り曲げるように大きな外力が加わったとしても接続管Ａが破損等することを防止できるものである。
【００４１】
また、吸込管２０と排気管５０とが一体的に結合した状態では、図３、図１２に示すように両第一の分岐管５４の先端よりも吸込管２０の先端つまり吸込嵌合筒２３の先端は突出しており、このことによって、相手側と接続する際には、吸込嵌合筒２３の先端が先に相手側の吸込嵌合孔に嵌合し案内することから、第一の分岐管５４の先端つまり排気嵌合筒５４ａは相手側の排気嵌合孔にスムーズに嵌合させることができるものである。
【００４２】
なお、排気管５０の中間部は偏平に形成されているものの、第一の分岐管５４および相手側の接続嵌合孔は円形に形成されていることから、寸法精度は上げることができることから接続時にスムーズに嵌合させることができる。
【００４３】
また、図１２に示すように第一の分岐管５４の先端は接続ピン９０の先端よりも突出していることから、同様に吸込管２０の吸込嵌合筒２３と第一の分岐管５４の排気嵌合筒５４ａが先に嵌合することによってスムーズに相手側の差込穴に差し込むことができるものである。
【００４４】
つぎに、第二の固定具７０について説明する。
この第二の固定具７０は、図１３に示すように、前記排気管５０の一対の第二の分岐管５５のそれぞれの軸心と一致する軸心とした貫通孔７１が形成された一対の管部７２を互いの底壁側を底板７３で一体に結合した構成となっており、また、一端面側つまり端面側には前壁７４が形成されている。また、前記両管部７２の間は図１３に示すように軸方向に沿う溝７５が形成されており、この溝７５の底面つまり前記底板７３には、図３に示すように吸込管２０に形成したボス２７のネジ穴２７ａと対向したネジ孔７６ａが形成されたボス７６が２個（図３、図１３では１個のみ図示）形成されている。
【００４５】
また、前記管部７２の上面は前記吸込管２０の下側周面に一致する曲面状に形成された当接面７７となっている。また、管部７２の上面は前記吸込管２０に形成したリブ３８およびリブ３９によって挟持された前記接点板９２が下方へ抜け出すことを規制するようにも機能しているものである。
【００４６】
また、前記貫通孔７１の前端部（図１３において左側部）は、内部に向かうにつれて次第に径小となるテーパー状に形成された排気嵌合孔７１ａとなっており、この排気嵌合孔７１ａには、相手側の排気嵌合筒が嵌合するようになっているものである。また、貫通孔７１の後端部側は、図１４に示すように前記第二の分岐管５５が気密的に嵌合するようになっている。なお、前記排気嵌合孔７１ａは排気管５０の他端側の排気嵌合孔を構成するものである。
【００４７】
また、前記管部７２の両外壁の一部は上方に突出しており、その上端縁は前記吸込管２０の他端部に形成した印篭部４３ａと係合する溝７８が形成されている。
【００４８】
そして、前記貫通孔７１の後端部側に第二の分岐管５５の先端部を嵌合させて、前記ボス７６のネジ孔７６ａを前記ボス２７のネジ穴２７ａと対向させるとともに、両印篭部３４ａと溝７８を接合させて、ネジ孔７６ａにネジ１０１（図３参照）を挿通してネジ穴２７ａに締結することによって、排気管５０の他端側は吸込管２０に一体的に結合されるものである（図１ないし図３、図８、図１５参照）。そして、この結合した状態では前記リブ３８とリブ３９とに挟持された接点板９２は、前記管部７２の上面によって抜止されるようになっている。
【００４９】
また、上記結合状態では、図８に示すように吸込管２０の中心Ｐおよび第二の分岐管５５の中心Ｐ１、Ｐ１は、それぞれ二点鎖線で示すように二等辺三角形の三つの頂点となるようになっている。
【００５０】
つぎに、上記接続管Ａの組み立てについて説明する。
まず、吸込管２０の一端側および他端側に上述したようにして一対の接続ピン９０および一対の接点板９２を配置する。また、第二の接続具７０の貫通孔７１に前記排気管５０の一対の第二の分岐管５５を嵌合させ、この状態で排気管５０を吸込管２０の下側に所定の状態として配置する。ついで、第一の接続具６０を排気管５０に対して所定の状態に位置決めし、ついで、ネジ１００および１０１を前記ネジ孔６５ａおよびネジ孔７６ａに挿通してボス２４およびボス２７のネジ穴２４ａおよびネジ穴２７ａに締結することによって、排気管５０は吸込管２０の下側に一体的に結合されるものである（図２、図３、図８ないし図１０、図１３、図１５参照）。
【００５１】
そして、結合した状態では、排気管５０は偏平な中間部とこの中間部の両端側をそれぞれ分岐した第一の分岐管５４と第二分岐管５５とすることによって、全体の高さが低くでき、また、吸込管２０の両側よりも側方に突出しているため、吸込管２０を上方に位置させて床などに置いたときは、倒れることなく安定した状態が維持されることから取り扱い易いものであり、また、接続管Ａの最大外郭寸法を小さくできるものである。
【００５２】
なお、上記したように接続管Ｂも接続管Ａと同様に構成されているものである。つまり、接続管Ｂの一端側は、接続管Ａの一端側と同様に吸込嵌合筒と一対の排気嵌合筒とがその端面から突出しており、また、一対の接続ピン９０が突出している。また、吸込嵌合筒には係合凹部が形成されている。
【００５３】
また、他端側には、吸込嵌合孔と一対の排気嵌合孔および一対の差込穴が形成されているものである。また、上面側には結合クランプ（図１に操作つまみ４１ｂのみを図示）が配設されている。
【００５４】
そして、接続管Ｂと接続管Ａを接続するときは、接続管Ｂの一端側の吸込嵌合筒、一対の排気嵌合筒を、それぞれ接続管Ａの他端側の吸込嵌合孔２５、排気嵌合孔７１ａに嵌合させるとともに、一対の接続ピン９０を差込穴９１（図８参照）に差し込むことによって接続されるものである。この時接続管Ａに設けた結合クランプ４０のクランプ片４１の係合爪４１ａが接続管Ｂの係合凹部に係合して抜止される。
【００５５】
また、上記吸込ホース１０の接続管体１３に接続管Ａの一端側を接続するときは、接続管Ａの一端側の吸込管嵌合筒２３、一対の排気嵌合筒５４ａを、それぞれ接続管体１３の吸込嵌合孔（不図示）、排気嵌合孔（不図示）に嵌合させるとともに、一対の接続ピン９０を差込穴９１（不図示）に差し込むことによって同様に接続されるものである。また、接続管体１３には上述したように前記結合クランプ４０と同様に構成した結合クランプが設けられており、この結合クランプのクランプ片の係合爪が接続管Ａの係合凹部２３ａに係合して抜止される。
【００５６】
つぎに、前記吸込口体としての床ブラシ８０について説明する。
この床ブラシ８０は図１に示すように、床ブラシ本体８１とこの床ブラシ本体８１に上下方向に回動可能に取り付けられた継手管８６とから構成されており、そして、前記床ブラシ本体８１には下面つまり被掃除面と対向する面に図示しない吸込開口に連通する吸込室（不図示）を有し、この吸込室内には回転清掃体８２が配設されており、この回転清掃体８２は電動機８３によって図示しないベルトなどを介して駆動されるようになっている。また、床ブラシ本体８１内には、前記吸込開口の近傍に設けた吹出口（不図示）に連通する図示しない排気流路（排気風路）および吸込室に連通する吸込流路（吸込風路）が形成されている。
【００５７】
また、前記継手管８６の端部には前記接続管Ａの一端側と同様な構成、つまり図示しないが吸込嵌合筒、一対の排気嵌合筒および一対の接続ピン９０が設けられており、そして、吸込嵌合筒は前記吸込室に連通する吸込流路に連通しており、また、一対の排気嵌合筒は吸込口本体内で合流して前記吹出口（不図示）に連通する前記排気流路に連通している。また、前記一対の接続ピン９０には、図示しない給電線の一端が接続されその他端は前記電動機８３に接続されている。また、吸込嵌合筒の先端部には接続管Ｂの他端側に設けた結合クランプのクランプ片の係合爪と係合する係合凹部が形成されている。
【００５８】
そして、床ブラシ８０を前記接続管Ａに接続された接続管Ｂの他端側つまり図１において先端側に接続するときは、継手管８６の形成された図示しない吸込嵌合筒、排気嵌合筒を、接続管Ｂの吸込嵌合孔および排気嵌合孔に接続するとともに、一対の接続ピンを差込穴に差し込み接点板と接続させる。そして、接続されたときは接続管Ｂの結合クランプのクランプ片の係合爪が前記係合凹部に係合して抜止される。
【００５９】
つぎに、上記循環式掃除機１の動作について説明する。
まず、掃除をする場合は、掃除機本体１に吸込ホース１０、接続管Ａ、接続管Ｂを図１に示すように順に接続し、接続管Ｂに床ブラシ８０を接続し、吸込ホース１０の把手１４に設けた制御スイッチ１４ａのうちのいずれかを閉成操作する。この閉成操作がされることにより電動送風機４が駆動し、また、前記床ブラシ８０の電動機８３によって回転清掃体８２が回転する。
【００６０】
そして、前記電動送風機４の吸込作用によって床ブラシ８０の吸込開口から塵埃が吸込気流とともに吸込まれ、継手管８６、接続管Ｂ、接続管Ａおよび吸込ホース１０のそれぞれの吸込風路を経て（図１に太い実線の矢印で示す経路）集塵装置３内に吸込まれ、塵埃は集塵装置３によって除去され吸込気流は排気風として電動送風機４から排気され、この排気風は掃除機本体の還流路、吸込ホース１０、接続管Ａ、接続管Ｂ、継手管８６の排気風路を経て（図１に白抜き一点鎖線の矢印で示す経路）床ブラシ８０の排気流路を経て吹出口から被掃除面に吹き付けられ、この吹出された排気風によって被掃除面の塵埃が吹出され、この吹出された塵埃は吸込み空気とともに上記経路を経て集塵装置３内に吸込まれ、そして塵埃が除去された吸込空気は再び上記経路を経て床ブラシ８０に戻されて吹出口から吹出されて掃除がなされるものである。
【００６１】
上述のように上記接続管Ａ（接続管Ｂ）を、一端側に吸込嵌合筒２３とこの吸込嵌合筒２３の下側に排気管５０の一対の第一の分岐管５４つまり排気嵌合筒５４ａを、それぞれその中心つまり軸心Ｐ、Ｐ１、Ｐ１を三角形の各頂点となるように構成し、また、他端側の吸込嵌合孔２５と、この吸込嵌合孔２５の下側に排気嵌合孔７１ａ、７１ａを、それぞれその中心つまり軸心Ｐ、Ｐ１、Ｐ１を三角形の各頂角となるように構成したことから、上下方向の高さを低くできるため、外形の最大外郭寸法を小さくできる。また、二重管のように内管と外管との間に流路を形成するものではないことから、流路抵抗を小さくできる。このため、流路断面積を小さくでき外形を小さくできるものである。また、一端側の吸込嵌合筒２３と排気管５０の一対の第一の分岐管５４つまり排気嵌合筒との各中心が三角形の頂点となる関係とし、また、他端側の吸込嵌合孔２５と二つの排気嵌合孔７１ａ、７１ａとの各中心も同様に三角形の頂点となる関係としていることから、それぞれ相手側の吸込嵌合孔と排気嵌合孔および吸込嵌合筒と排気嵌合筒とを接続した状態では、掃除中にこの接続部分に折り曲げるような力が加わったとしても、その力は分散される。このことから、折れ曲がることが防止され接続部分が損傷などすることを防止できるものである。
【００６２】
また、排気管５０の中間部分を１本の管としたことから、第一の分岐管５４、第二の分岐管５５と同じ流路断面としたときは外形を小さくでき、また、中間部分を１本としていることから、排気管を２本で構成した場合に比べ組み立て時などにおける取り扱いが容易となり、作業性を向上させることができるものである。
【００６３】
また、排気管５０は、吸込管２０に沿って配置されるリード線Ｒを覆うカバーとして機能することから、吸込管２０に沿ってリード線Ｒを配線する場合においても特別のカバーを要しないことから、部品点数を減らすとともに、組み立て時などにおける作業性を向上させることができ、また、安価とすることができるものである。
【００６４】
また、排気管５０の両端部を第一の固定具６０と第二の固定具７０によって吸込管２０に固定するようにしたことから、相手側との接続で力のかかる排気管５０の両端部を吸込管２０に確実に位置決めして固定つまり結合でき、相手側との接続関係を確実に維持できるものである。
【００６５】
また、第二の固定具７０に前記第一の固定具６０側に前記排気管５０の第二の分岐管５５を嵌合して連通させるとともに、反対側に一対の排気嵌合孔７１ａを形成した接続管Ａとしたことから、二つの排気嵌合孔７１ａの吸込管２０への形成が吸込管２０自体に形成する場合に比べて容易にできるものである。
また、排気管５０を吸込管２０の外周面よりも外側に突出させて偏平形状としたことから、接続などする場合に接続管Ａを床などに吸込管２０上にして置く時、転がることなく安定した状態となる。このことから、その取り扱いが容易となるものである。
また、一端側の吸込嵌合筒２３の先端を両排気嵌合筒５４ａの前端よりも突出させた接続管Ａとしたことから、吸込嵌合筒２３が相手側の吸込嵌合孔に嵌合した後の両排気嵌合筒５４ａが相手側の排気嵌合孔に嵌合する。このことから、相手側との接続が容易にできるものである。
【００６６】
また、上記実施の形態においては、接続管Ａの他端側に設けられ、排気管５０の他端側の排気嵌合孔を構成する排気嵌合孔７１ａを第二の固定具７０に設けるように構成したが、これは第二の固定具７０ではなく排気管５０の他端側の第二の分岐管５５に直接設ける、つまり第二の分岐管５５の先端に開口する孔によって構成するようにしてもよいものである。
【００６８】
また、上記実施の形態においては、循環式掃除機をいわゆるキャニスタータイプとした場合について説明したが、これはアップライト式或いはハンデー式など他の形式の循環式掃除機としてもよいものである。また、アップライト式或いはハンデー式などの循環式掃除機において吸込ホースを用いない場合は、接続管を直接循環式掃除機の接続口体に接続して使用することもできるものである。
【００６９】
【発明の効果】
上記のように請求項１記載の発明は、接続管を、一端側に吸込嵌合筒が形成され、他端側に吸込嵌合孔が形成された吸込管と、この吸込管に並べて一体的に配置され一端側に前記吸込嵌合筒の中心とそれぞれの中心が三角形の頂点となるように二つの排気嵌合筒を形成するとともに、他端側を前記吸込嵌合孔の中心とそれぞれの中心が三角形の頂点をなすように設けた二つの排気嵌合孔とした排気管とから構成したことから、排気管は吸込管に並べて配置されるため、上下方向の高さを低くでき最大外郭寸法を小さくでき、また、二重管のように内管と外管との間に流路を形成するものではないことから、流路抵抗を小さくできるため流路断面積を小さくでき外形を小さくできるという効果を有するものである。また、一端側の吸込嵌合筒と排気管の二つの排気嵌合筒との中心を各中心が三角形の頂点となる関係とし、また、他端側の吸込嵌合孔と二つの排気嵌合孔との各中心も同様に三角形の頂点となる関係としたことから、それぞれ相手側の吸込嵌合孔と排気嵌合孔および吸込嵌合筒と排気嵌合筒とに接続した状態では、掃除中などにこの接続部分に折り曲げるような力が加わったとしても、その力は分散されることから折れ曲がることが防止され接続部分が損傷などすることを防止できるという効果を有するものである。
更に、排気管の中間部分を１本の管としたことから、排気管の両端と同じ流路断面としたときは外形を小さくでき、また、中間部を一体としていることから組み立て時などにおける取り扱いが容易となり、作業性を向上させることができるという効果を有するものである。
また、請求項２の発明は、吸込管に沿って給電線を配線するときにおいても特別のカバーを要しないことから、部品点数を減らすとともに、組み立て時などにおける作業性を向上させることができ、また、安価とすることができるという効果を有するものである。
また、請求項３の発明は、両端部を確実に位置決めして固定できるため、相手側との接続関係を確実に維持できるという効果を有するものである。
また、請求項４の発明は、二つの排気嵌合孔の吸込管への形成が吸込管自体に形成する場合に比べて容易にできるという効果を有するものである。
また、請求項５の発明は、接続などをする場合に接続管を床などに吸込管を上にして置いた時、転がることなく安定した状態となることから、その取り扱いが容易となるという効果を有するものである。
また、請求項６の発明は、吸込嵌合筒が相手側の吸込嵌合孔に嵌合した後に両排気嵌合筒が相手側の排気嵌合孔に嵌合することから、相手側との接続が容易にできるという効果を有するものである。
また、請求項７の発明は、掃除機本体の吸込口と排出口とに、塵埃を吸込む吸込開口と排気風を吹出す吹出口を備えた吸込口体を請求項１ないし請求項６の接続管を介して接続した循環式電気掃除機としたことから、流路の排気抵抗を小さくできるため吸塵性能が向上するとともに、掃除時の操作性を向上させることができるという効果を有するものである。
【図面の簡単な説明】
【図１】本発明の実施の形態の接続管を循環式電気掃除機に接続した状態を示す斜視図。
【図２】上記接続管の側面図。
【図３】上記接続管の断面図。
【図４】上記接続管を構成する吸込管を下側からみた平面図。
【図５】上記接続管を構成する吸込管に設けたリード線保持部を示す断面図。
【図６】上記接続管を構成する排気管を示す図で、（Ａ）は上側からみた平面図であり、（Ｂ）は（Ａ）におけるＸ−Ｘ線での断面図。
【図７】上記排気管を示す図で、（Ａ）は断面図（図６（Ａ）のＹ−Ｙ線での断面）であり、（Ｂ）は下側からみた平面図である。
【図８】上記接続管を他端側からみた図。
【図９】上記接続管を一端側からみた図。
【図１０】上記接続管の断面図（図２のＸ−Ｘ線での断面図）。
【図１１】第一の固定具の斜視図。
【図１２】上記接続管の一端側の斜視図。
【図１３】第二の固定具の斜視図。
【図１４】第二の固定具の排気嵌合孔に相手側の排気管号筒を嵌合した状態を示す断面図。
【図１５】接続管の他端側の斜視図。
【符号の説明】
１            循環式電気掃除機の掃除機本体
Ａ,Ｂ        接続管
２０          吸込管（接続管の一部）
２３          吸込嵌合筒
２５          吸込嵌合孔
５０          排気管（接続管の一部）
５４ａ        排気嵌合筒
６０          第一の固定具
７０          第二の固定具
７１ａ        排気嵌合孔
８０          床ブラシ（吸込口体）
【図１】
0003646028.tif 000002
【図２】
0003646028.tif 000003
【図３】
0003646028.tif 000004
【図４】
0003646028.tif 000005
【図５】
0003646028.tif 000006
【図６】
0003646028.tif 000007
【図７】
0003646028.tif 000008
【図８】
0003646028.tif 000009
【図９】
0003646028.tif 000010
【図１０】
0003646028.tif 000011
【図１１】
0003646028.tif 000012
【図１２】
0003646028.tif 000013
【図１３】
0003646028.tif 000014
【図１４】
0003646028.tif 000015
【図１５】
0003646028.tif 000016